【手続補正書】
【提出日】平成30年10月18日(2018.10.18)
【手続補正１】
【補正対象書類名】特許請求の範囲
【補正対象項目名】全文
【補正方法】変更
【補正の内容】
【特許請求の範囲】
【請求項１】
ソース基地局におけるワイヤレス通信の方法であって、
ターゲット基地局へのユーザ機器（ＵＥ）のハンドオーバが実行されるべきと決定することと、
前記ＵＥから受信されたパケット列の中の少なくとも１つのギャップを識別することと、ここにおいて、前記パケットが、データ圧縮ルーチンに従って圧縮されている情報を備える、
前記ターゲット基地局のデータ圧縮機能が前記データ圧縮ルーチンをサポートするかどうかを決定することと、
前記ＵＥ用のコンテキスト情報を前記ターゲット基地局に転送することと
を備え、
ここにおいて、前記コンテキスト情報が、前記パケット列の中の前記少なくとも１つのギャップを識別し、および前記ターゲット基地局の前記データ圧縮機能が前記データ圧縮ルーチンをサポートするかどうかに少なくとも部分的に基づく、
方法。
【請求項２】
前記ターゲット基地局の前記データ圧縮機能を決定することが、
前記ターゲット基地局が前記データ圧縮ルーチンをサポートすると決定すること、
ここにおいて、前記コンテキスト情報を転送することが、
前記少なくとも１つのギャップの後に順番に並べられたパケットに関連する圧縮状態情報を、前記ターゲット基地局に転送することを備え、ここにおいて、前記圧縮状態情報が、前記少なくとも１つのギャップの後に順番に並べられた前記パケットの復元を容易にする、または、
前記ターゲット基地局が前記データ圧縮ルーチンをサポートしないと決定すること、
ここにおいて、前記コンテキスト情報が、前記パケット列の中の前記少なくとも１つのギャップの前の、連続した最新のアップリンクパケットの識別を備える制御情報を備える、
を備える、請求項１に記載の方法。
【請求項３】
前記コンテキスト情報が、前記パケット列の中の前記少なくとも１つのギャップを示すステータス報告と、前記データ圧縮ルーチンに関連する圧縮状態情報とを備える、請求項１に記載の方法。
【請求項４】
前記コンテキスト情報を転送することが、
データ圧縮バッファを前記ターゲット基地局に転送することを備え、ここにおいて、前記データ圧縮バッファが、静的データ圧縮部分と非静的データ圧縮部分とを備える、
請求項１に記載の方法。
【請求項５】
後続の通信のために前記ターゲット基地局が使用されるべきであることを示すハンドオーバメッセージを前記ＵＥへ送信することをさらに備え、ここにおいて、前記ハンドオーバメッセージは、前記ターゲット基地局が前記ソース基地局および前記ＵＥによって使用されるデータ圧縮ルーチンをサポートするという表示を備え、ここにおいて、前記表示は、前記ターゲット基地局の前記データ圧縮機能が前記ソース基地局のデータ圧縮機能と互換性があると決定することに少なくとも部分的に基づく、
請求項１に記載の方法。
【請求項６】
ターゲット基地局におけるワイヤレス通信の方法であって、
ユーザ機器（ＵＥ）がソース基地局からハンドオーバされるべきというハンドオーバ表示を受信することと、
前記ターゲット基地局のデータ圧縮機能を前記ソース基地局へ送信することと、
前記ＵＥ用のコンテキスト情報を前記ソース基地局から受信することと、ここにおいて、前記コンテキスト情報が、前記ＵＥによって前記ソース基地局へ送られたパケット列の中の少なくとも１つのギャップを識別し、および前記ターゲット基地局の前記データ圧縮機能が前記パケット列に関するデータ圧縮ルーチンをサポートするかどうかに少なくとも部分的に基づく、
前記コンテキスト情報に少なくとも部分的に基づいて前記ＵＥへ送信することと
を備える方法。
【請求項７】
前記ＵＥによって前記ソース基地局へ送られた前記パケット列が、アップリンクデータパケット列を備え、ここにおいて、前記アップリンクデータパケット列が、データ圧縮ルーチンに従って圧縮されている情報を備え、ここにおいて、前記コンテキスト情報を受信することが、
前記パケット列の中の前記少なくとも１つのギャップの後に前記ソース基地局に到達した追加パケットを受信することと、
前記ソース基地局からデータ圧縮バッファを受信することとを備え、データを復元する際に使用するための前記データ圧縮バッファが、前記少なくとも１つのギャップに関連するアップリンクパケットに含まれる、
請求項６に記載の方法。
【請求項８】
前記ＵＥによって前記ソース基地局へ送られた前記パケット列が、前記ソース基地局によって前記ＵＥへ送られたダウンリンクデータパケット列に対する確認応答情報を備え、前記ダウンリンクデータパケット列が、データ圧縮ルーチンに従って圧縮されている情報を備え、ここにおいて、前記方法が、
前記ソース基地局によって前記ＵＥへ送られた前記ダウンリンクデータパケット列の中の前記少なくとも１つのギャップに関連するダウンリンクデータパケットと、前記ソース基地局によって前記ＵＥへ送られた前記ダウンリンクデータパケット列の中の前記少なくとも１つのギャップの後の１つまたは複数のデータパケットとを受信することをさらに備える、
請求項６に記載の方法。
【請求項９】
ユーザ機器（ＵＥ）におけるワイヤレス通信の方法であって、
パケットをソース基地局へ送信することと、ここにおいて、前記パケットが、データ圧縮ルーチンに従って圧縮されている情報を備える、
後続の通信がターゲット基地局へ送信されるべきであることを示すハンドオーバメッセージを前記ソース基地局から受信することと、前記ハンドオーバメッセージが、前記ターゲット基地局のデータ圧縮機能が前記データ圧縮ルーチンをサポートするかどうかの表示を含む、
前記ターゲット基地局から送信を受信することと、ここにおいて、前記送信が、前記ターゲット基地局の前記データ圧縮機能が前記データ圧縮ルーチンをサポートするかどうかに少なくとも部分的に基づく、
を備える方法。
【請求項１０】
前記パケットを前記ソース基地局へ送信することが、
パケット列を前記ソース基地局へ送信することを備え、前記パケット列が、データ圧縮ルーチンに従って圧縮されているデータを備える、
請求項９に記載の方法。
【請求項１１】
前記パケットを前記ソース基地局へ送信することが、
前記ソース基地局から受信されたダウンリンクデータパケット列の中のパケットごとに確認応答を送信することを備え、前記ダウンリンクデータパケット列が、データ圧縮ルーチンに従って圧縮されているデータを備える、
請求項９に記載の方法。
【請求項１２】
ソース基地局におけるワイヤレス通信のための装置であって、
ターゲット基地局へのユーザ機器（ＵＥ）のハンドオーバが実行されるべきと決定するための手段と、
前記ＵＥから受信されたパケット列の中の少なくとも１つのギャップを識別するための手段と、ここにおいて、前記パケットが、データ圧縮ルーチンに従って圧縮されている情報を備える、
前記ターゲット基地局のデータ圧縮機能が前記データ圧縮ルーチンをサポートするかどうかを決定するための手段と、
前記ＵＥ用のコンテキスト情報を前記ターゲット基地局に転送するための手段とを備え、ここにおいて、前記コンテキスト情報が、前記パケット列の中の前記少なくとも１つのギャップを識別し、および前記ターゲット基地局の前記データ圧縮機能が前記データ圧縮ルーチンをサポートするかどうかに少なくとも部分的に基づく、
装置。
【請求項１３】
ターゲット基地局におけるワイヤレス通信のための装置であって、
ユーザ機器（ＵＥ）がソース基地局からハンドオーバされるべきというハンドオーバ表示を受信するための手段と、
前記ターゲット基地局のデータ圧縮機能を前記ソース基地局へ送信するための手段と、
前記ＵＥ用のコンテキスト情報を前記ソース基地局から受信するための手段と、ここにおいて、前記コンテキスト情報が、前記ＵＥによって前記ソース基地局へ送られたパケット列の中の少なくとも１つのギャップを識別し、および前記ターゲット基地局の前記データ圧縮機能が前記パケット列のデータ圧縮ルーチンをサポートするかどうかに少なくとも部分的に基づく、
前記コンテキスト情報に少なくとも部分的に基づいて前記ＵＥへ送信するための手段と
を備える装置。
【請求項１４】
ユーザ機器（ＵＥ）におけるワイヤレス通信のための装置であって、
パケットをソース基地局へ送信するための手段と、ここにおいて、前記パケットが、データ圧縮ルーチンに従って圧縮されている情報を備える、
後続の通信がターゲット基地局へ送信されるべきであることを示すハンドオーバメッセージを前記ソース基地局から受信するための手段と、前記ハンドオーバメッセージが、前記ターゲット基地局のデータ圧縮機能が前記データ圧縮ルーチンをサポートするかどうかの表示を含む、
前記ターゲット基地局から送信を受信するための手段と、ここにおいて、前記送信が、前記ターゲット基地局の前記データ圧縮機能が前記データ圧縮ルーチンをサポートするかどうかに少なくとも部分的に基づく、
を備える装置。
【請求項１５】
実行されたときに、請求項１〜５または６〜８または９〜１１のうちのいずれか一項に記載の方法を、実行されたときにコンピュータに実行させるコードを記憶した、コンピュータ可読媒体。